(57)【特許請求の範囲】
【請求項１】
広幅織物を織成方向に対し、経糸方向および緯糸方向に沿ってのびる第１および第２のヒートカットライン上でヒートカットして製造した織ネーム、ワッペン等の織物において、
前記広幅織物が、前記第１および第２のヒートカットラインに沿った所望幅の第１の織組織部と、前記第１の織組織部によって区画される第２の織組織部とを有するものからなり、前記第１の織組織部が、平織あるいは綾織により表裏一体に組織されており、前記第２の織組織部が、袋織その他の二重織手段によって同時に織成した表地および裏地を含む２層組織でなり、表地および裏地の少なくとも一方が、その内面側において緯糸により粗くとめた経糸組織により構成されており、ヒートセット処理による経糸の縮みにより前記第２の織組織部を膨脹させてなることを特徴とする立体感を有する織ネーム、ワッペン等の織物。
【発明の詳細な説明】
【０００１】
【発明の属する技術分野】
この発明は、織ネーム、ワッペン、あるいはテープ等の織物の構造に係るものであり、特に、袋織生地（二重織生地）として織成した生地部分を含み、該袋織生地（二重織生地）において膨らみをもたせた、立体感を有する織ネーム、ワッペン等の織物に関するものである。
【０００２】
【従来の技術】
周知のように、市販の衣服その他の繊維製品に対し、商標や製造者名あるいは製品の等級等を表示した織ネーム等を縫着により取り付けることは極めて一般的なものであって、その需要は極めて多く、多目的に利用されてきている。この種の織ネームあるいはワッペン等は、広幅の生地織物を織成する際に、商標等の文字、記号、紋様或いはその他の模様の表示部分を織物中に同時に織り込むことによって構成されるものである。従来、織り上げられた完成品である織ネームは、一枚の扁平な布帛として構成されているものにすぎず、立体感という意味において変化性の乏しいものであった。
【０００３】
【発明が解決しようとする課題】
そこで、この発明は、広幅の生地織物を袋織その他の二重織手段によって織成するとともに、熱処理によって収縮する熱収縮糸を混ぜ合わせ、織成後の熱処理過程で、前記熱収縮糸を収縮させ、袋織その他の二重織手段によって織成した部分を膨らませ、立体感のある織ネーム、ワッペン等の織物を提供しようとするものである。
【０００４】
【課題を解決するための手段】
この発明は、上記する目的を達成するにあたって、具体的には、広幅織物を織成方向に対し、経糸方向および緯糸方向に沿ってのびる第１および第２のヒートカットライン上でヒートカットして製造した織ネーム、ワッペン等の織物において、前記広幅織物が、前記第１および第２のヒートカットラインに沿った所望幅の第１の織組織部と、前記第１の織組織部によって区画される第２の織組織部とを有するものからなり、前記第１の織組織部が、平織あるいは綾織により表裏一体に組織されており、前記第２の織組織部が、袋織その他の二重織手段によって同時に織成した表地および裏地を含む２層組織でなっており、表地および裏地の少なくとも一方が、その内面側において緯糸により粗くとめた経糸組織により構成されており、ヒートセット処理による経糸の縮みにより前記第２の織組織部を膨脹させてなる立体感を有する織ネーム、ワッペン等の織物を構成するものである。
【０００５】
【発明の実施の形態】
以下、この発明になる立体感を有する織ネーム、ワッペン等の織物について、図面に示す具体的な実施例にもとづいて詳細に説明する。
図１各図は、この発明になる立体感を有する織ネーム、ワッペン等の織物の製造過程の例を示すものであり、図１Ａは、この発明に適合するように織成された広幅織物の一例を示す概略的な平面図であり、図１Ｂは、広幅織物を織成方向に対し、経糸方向および緯糸方向に沿ってのびる第１および第２のヒートカットライン上でヒートカットする態様を示す概略的な平面図である。
【０００６】
図２は、第１および第２のヒートカットラインに沿ってヒートカットされた立体感を有する織ネームの一例を示す概略的な平面図であり、図３各図は、図２におけるＸ−Ｘ線に沿って断面にして示す異なる実施例を図示するものであり、図３Ａは、袋織部分を構成する表地および裏地の双方が膨らむように組織構成してある具体例を示す概略的なＸ−Ｘ線断面図であり、図３Ｂは、袋織部分を構成する表地および裏地の片方が膨らむように組織構成してある具体例を示す概略的なＸ−Ｘ線断面図である。
【０００７】
図４各図は、この発明になる立体感を有する織ネーム、ワッペン等の織物において、各部の織組織の例を示すものであって、図４Ａは、図１に示す実施例のものにおいて、平織あるいは綾織により表裏一体に組織されている第１の織組織部を示す概略的な組織図であり、図４Ｂは、袋織その他の二重織手段によって同時に織成した表地および裏地を含む２層組織でなる第２の織組織部を示す概略的な組織図である。
【０００８】
まず、この発明になる立体感を有する織ネーム、ワッペン等の織物について、図面に示す具体的な実施例にもとづいて詳細に説明する。この発明の基本構成によれば、前記立体感を有する織ネーム等１は、広幅織物２から得られるものであり、前記広幅織物２を、その織成方向ＷＤに対して、経糸方向に沿ってのびる第１のヒートカットラインＣＬ１および緯糸方向に沿ってのびる第２のヒートカットラインＣＬ２上でヒートカットして製造される。
【０００９】
前記広幅織物２の具体的な構成例について図１および図４にもとづいて詳細に説明する。この発明の適用になる広幅織物２は、前記第１および第２のヒートカットラインに沿った所望幅の第１の織組織部３と、前記第１の織組織部３によって区画される第２の織組織部４とからなっている。前記広幅織物２における第１の織組織部３は、予めデザインされる仕上がり織ネーム１にしたがって、ヒートカットすべき第１のヒートカットラインＣＬ１に沿った所望幅の第１の織組織部３でなる織組織部分３Ａおよび第２のヒートカットラインＣＬ２に沿った所望幅の第１の織組織部３でなる織組織部分３Ｂとによって構成されている。
【００１０】
前記第１の織組織部３は、例えば、図４Ａに示すように、平織あるいは綾織により表裏一体に組織されており、前記第２の織組織部４は、例えば、図４Ｂに示すように、袋織その他の二重織手段によって同時に織成した表地５および裏地６を含む２層組織によって組織されている。
【００１１】
前記第２の織組織部４を構成する表地５および裏地６少なくとも一方は、図４Ｂからも明らかなように、その内面側において細い緯糸７により粗くとめた経糸８による組織部分を有しており、ヒートセット処理による経糸８の縮みにより前記第２の織組織部４を膨らませることができ、該ヒートセット処理によって、立体感を有する織ネーム１を製造することができる。
【００１２】
この発明において、前記経糸８を粗くとめる細い緯糸７および前記第１の織組織部３および第２の織組織部４を構成している緯糸９は、ポリエステルあるいはナイロンであり、前記経糸８は、熱可塑性の合成繊維であって、例えば、１２０℃〜１３０℃のヒートセット処理によって収縮する糸によって構成されているものであればよい。
【００１３】
【発明の効果】
以上の構成になるこの発明の立体感を有する織ネーム、ワッペン等の織物によれば、従来、一層状の織ネームとしてしか提供し得なかった製品を、立体感を有するとともにソフトなタッチの織ネーム、ワッペン、テープ等として提供することができるものであって、デザインの変化性並びに興趣性に富んだものであり、その点において、極めて有効に作用するものといえる。
【図面の簡単な説明】
【図１】図１各図は、この発明になる立体感を有する織ネーム、ワッペン等の織物の製造過程の例を示すものであり、図１Ａは、この発明に適合するように織成された広幅織物の一例を示す概略的な平面図であり、図１Ｂは、広幅織物を織成方向に対し、経糸方向および緯糸方向に沿ってのびる第１および第２のヒートカットライン上でヒートカットする態様を示す概略的な平面図である。
【図２】図２は、第１および第２のヒートカットラインに沿ってヒートカットされた立体感を有する織ネームの一例を示す概略的な平面図である。
【図３】図３各図は、図２におけるＸ−Ｘ線に沿って断面にして示す異なる実施例を図示するものであり、図３Ａは、袋織部分を構成する表地および裏地の双方が膨らむように組織構成してある具体例を示す概略的なＸ−Ｘ線断面図であり、図３Ｂは、袋織部分を構成する表地および裏地の片方が膨らむように組織構成してある具体例を示す概略的なＸ−Ｘ線断面図である。
【図４】図４各図は、この発明になる立体感を有する織ネーム、ワッペン等の織物において、各部の織組織の例を示すものであって、図４Ａは、図１に示す実施例のものにおいて、平織あるいは綾織により表裏一体に組織されている第１の織組織部を示す概略的な組織図であり、図４Ｂは、袋織その他の二重織手段によって同時に織成した表地および裏地を含む２層組織でなる第２の織組織部を示す概略的な組織図である。
【符号の説明】
１  立体感を有する織ネーム等
２  広幅織物
ＷＤ  広幅織物２の織成方向
ＣＬ１  第１のヒートカットライン
ＣＬ２  第２のヒートカットライン
３  第１の織組織部
３Ａ  第１のヒートカットラインＣＬ１に沿った第１の織組織部分
３Ｂ  第２のヒートカットラインＣＬ２に沿った第１の織組織部分
４  第２の織組織部
５  袋織の表地
６  袋織の裏地
７  経糸を粗くとめる細い緯糸
８  経糸
９  第１および第２の織組織部を構成している緯糸
【図１】
0004405651.tif 000002
【図２】
0004405651.tif 000003
【図３】
0004405651.tif 000004
【図４】
0004405651.tif 000005